(57)【要約】【課題】容器本体に収容された液体を、吐出レバーのフルストロークまでの回動動作にて所望の量吐出させること。【解決手段】容器本体２内に収容された液体を吐出するポンプディスペンサー３Ａである。ポンプディスペンサー３Ａは、容器本体２内に収容された液体を吸い上げるポンプ機構３１と、液体を吐出する吐出ノズル３２ｎを有し、押し下げることによってポンプ機構３１が吸い上げた液体を該吐出ノズル３２ｎから吐出させるポンプヘッド３２と、ポンプヘッド３２の押し下げ量に応じて吐出ノズル３２ｎから吐出される液体の吐出量を、該ポンプヘッド３２の押し下げに伴う変化により表示して吐出ノズル３２ｎから吐出される液体の吐出量を使用者に知らせる表示部３３Ａとを備えている。【選択図】図１
2019051949.tif 000002
【特許請求の範囲】
【請求項１】
容器本体内に収容された液体を吐出するポンプディスペンサーであって、
前記容器本体内に収容された液体を吸い上げるポンプ機構と、
液体を吐出する吐出ノズルを有し、前記ポンプ機構が吸い上げた液体を、押し下げることによって該吐出ノズルから吐出させるポンプヘッドと、
前記ポンプヘッドの押し下げ量に応じて前記吐出ノズルから吐出される液体の吐出量を、該ポンプヘッドの押し下げに伴う変化により表示して使用者に知らせる表示部とを備えるポンプディスペンサー。
【請求項２】
前記ポンプ機構を固定支持する本体部を備え、
前記表示部は、前記本体部及び前記ポンプヘッドの一方に設けられ、液体の吐出量の目盛を有する目盛部と、前記本体部及び前記ポンプヘッドの他方に設けられ、液体の吐出量に対応する前記目盛部の目盛を示す目印とを有しており、
前記ポンプヘッドの押し下げ量に連動して前記目盛部の前記目盛に対する前記目印の相対的な位置が変化して、前記ポンプヘッドから吐出される液体の吐出量を知らせるようになされている、請求項１に記載のポンプディスペンサー。
【請求項３】
前記目盛部が前記本体部に設けられ、前記目印が前記ポンプヘッドに設けられている、請求項２に記載のポンプディスペンサー。
【請求項４】
前記目盛部が前記本体部から突出した状態に設けられ、
前記ポンプヘッドは、前記目盛部を挿通可能な挿通孔を有し、該ポンプヘッドの天面部が前記目印として機能する、請求項３に記載のポンプディスペンサー。
【請求項５】
前記目盛部は、前記ポンプヘッドが押し下げられる前においては、前記天面部から突出していない、請求項４に記載のポンプディスペンサー。
【請求項６】
前記目盛部が前記ポンプヘッドに設けられ、前記目印が前記本体部に設けられている、請求項２に記載のポンプディスペンサー。
【請求項７】
請求項１〜６の何れか１項に記載のポンプディスペンサーと、該ポンプディスペンサーが取り付けられ、液体が収容された容器本体とを備える吐出容器。
【発明の詳細な説明】
【技術分野】
【０００１】
本発明は、容器本体内に収容された液体を吐出するポンプディスペンサー及び該ポンプディスペンサーを有する吐出容器に関する。
【背景技術】
【０００２】
従来、シャンプー液、リンス液及び化粧液等の液体が収容された容器本体に取り付けて、該液体を吸い上げて吐出させるポンプディスペンサーを有する吐出容器が知られている。
しかし、ポンプディスペンサーは、一般に、ポンプヘッドをフルストローク押し下げた場合の液体の吐出量は予め設定されている場合であっても、フルストローク押し下げた場合以外、即ち、押し下げ量の程度に基づく液体の吐出量までは予め設定されていない。従って、例えば、フルストローク以外の回動動作において、吐出する液体の吐出量の調整を行うことが出来ず、ましてや吐出する液体の計量を行うこともできない。
【０００３】
これに対しては、容器本体の口部に取り付けるキャップの外周面に調整リングを取り付けてポンプヘッドの押し下げ量を規制することで、容器本体内に収容された液体の吐出量を調整可能とした吐出容器が開示されている（例えば、特許文献１参照）。
【先行技術文献】
【特許文献】
【０００４】
【特許文献１】特開２００４−２４３２６９号公報
【発明の概要】
【発明が解決しようとする課題】
【０００５】
しかし、特許文献１に記載の吐出容器は、容器本体の口部の外周面に、別途、調整リングを取り付けた後、更に、所望の吐出量に基づいて調整リングを予め調整しなければならず、使用者にとって煩雑であった。
【０００６】
したがって本発明の課題は、前述した従来技術が有する欠点を解消し得るポンプディスペンサー及び該ポンプディスペンサーを有する吐出容器を提供することにある。
【課題を解決するための手段】
【０００７】
本発明は、容器本体内に収容された液体を吐出するポンプディスペンサーであって、前記容器本体内に収容された液体を吸い上げるポンプ機構と、液体を吐出する吐出ノズルを有し、前記ポンプ機構が吸い上げた液体を、押し下げることによって該吐出ノズルから吐出させるポンプヘッドと、前記ポンプヘッドの押し下げ量に応じて前記吐出ノズルから吐出される液体の吐出量を、該ポンプヘッドの押し下げに伴う変化により表示して使用者に知らせる表示部とを備えるポンプディスペンサーを提供するものである。
【０００８】
また本発明は、前記ポンプディスペンサーと、該ポンプディスペンサーに取り付けられ、液体が収容された容器本体とを備える吐出容器を提供するものである。
【発明の効果】
【０００９】
本発明のポンプディスペンサー及び吐出容器によれば、容器本体に収容された液体を、吐出レバーのフルストロークまでの回動動作にて所望の量吐出することができる。
【図面の簡単な説明】
【００１０】
【図１】図１は、本発明の第１実施形態のポンプディスペンサー及び吐出容器を示す斜視図である。
【図２】図２は、図１に示すポンプディスペンサーの縦断面図である。
【図３】図３（ａ）は、ポンプヘッドを押し下げる前のポンプディスペンサーの斜視図であり、図３（ｂ）は、図３（ａ）に示すポンプディスペンサーの表示部を示す図である。
【図４】図４（ａ）は、ポンプヘッドを所望の位置まで押し下げたポンプディスペンサーの斜視図であり、図４（ｂ）は、図４（ａ）に示すポンプディスペンサーの表示部を示す図である。
【図５】図５（ａ）は、ポンプヘッドをフルストローク押し下げた後のポンプディスペンサーの斜視図であり、図５（ｂ）は図５（ａ）に示すポンプディスペンサーの表示部を示す図である。
【図６】図６は、本発明の好ましい第２実施形態に係る吐出容器のポンプディスペンサーを示す図である。
【図７】図７は、図７に示すポンプディスペンサーの分解斜視図である。
【図８】図８（ａ）〜（ｄ）は、ポンプヘッドの押し下げに連動する表示部の表示を示す図である。
【発明を実施するための形態】
【００１１】
以下、本発明のポンプディスペンサー及び吐出容器を、その好ましい第１実施形態に基づき、図１〜図５を参照しながら説明する。図１には、本発明の好ましい第１実施形態に係る吐出容器１Ａの斜視図が示されており、図２には、図１に示すポンプディスペンサーの縦断面図が示されている。図３（ａ）には、ポンプヘッド３２を押し下げる前のポンプディスペンサー３Ａが示されており、図３（ｂ）には、ポンプヘッド３２を押し下げる前の表示部３３Ａが示されている。図４（ａ）には、ポンプヘッド３２を所望の位置まで押し下げた状態のポンプディスペンサー３Ａが示されており、図４（ｂ）には、ポンプヘッド３２を所望の位置まで押し下げた状態の表示部３３Ａが示されている。図５（ａ）には、ポンプヘッド３２をフルストローク押し下げた状態のポンプディスペンサー３Ａが示されており、図５（ｂ）には、ポンプヘッド３２をフルストローク押し下げた状態の表示部３３Ａが示されている。
【００１２】
図１に示すように、第１実施形態の吐出容器１Ａは、容器本体２内に収容された液体を吐出するポンプディスペンサー３Ａと、該ポンプディスペンサー３Ａが取り付けられ、液体が収容された容器本体２とを備えている。
吐出容器１Ａでは、容器本体２は、図１に示すように、口部２１及び胴部２２を有しており、液体を収容可能に形成されている。容器本体２に収容される液体としては、例えば、シャンプー液、リンス液、化粧液、液体洗剤、薬剤及び調味料等が挙げられる。吐出容器１Ａでは、液体として、液体洗剤や調味料等を好適に用いることができる。
【００１３】
吐出容器１Ａでは、ポンプディスペンサー３Ａは、図１に示すように、容器本体２内に収容された液体を吸い上げるポンプ機構３１と、液体を吐出する吐出ノズル３２ｎを有し、ポンプ機構３１が吸い上げた液体を、押し下げることによって該吐出ノズル３２ｎから吐出させるポンプヘッド３２と、ポンプヘッド３２の押し下げ量に応じて吐出ノズル３２ｎから吐出される液体の吐出量を、ポンプヘッド３２の押し下げに伴う変化により表示して使用者に知らせる表示部３３Ａとを備えている。吐出容器１Ａでは、ポンプディスペンサー３は、更に、前記ポンプ機構３１を固定支持する本体部３４と、容器本体２の口部２１に螺合させて装着されるキャップ部３５とを備えている。即ち、ポンプディスペンサー３は、ポンプ機構３１と、ポンプヘッド３２と、表示部３３Ａと、本体部３４と、キャップ部３５とを備えている。
【００１４】
ポンプ機構３１は、図２に示すように、ポンプハウジング３１ｈ内に画成されるポンプ室３１ｒをピストン３１ｐで拡縮させることにより、液の吸い込み及び該液の吐出を行う直圧のポンプ式となっている。より詳述すると、ポンプ機構３１は、キャップ部３５を容器本体２の口部２１に装着する際に、口部２１から胴部２２の内部に挿入されるポンプハウジング３１ｈと、ポンプハウジング３１ｈ内に往復動可能に挿入され、ポンプハウジング３１ｈ内に画成されるポンプ室３１ｒを拡縮可能とするピストン３１ｐと、ピストン３１ｐによって圧縮状態にあるポンプ室３１ｒと連通可能になる吐出通路を備えるステム３１ｓとを有している。斯かるポンプ機構３１は、特許文献１に記載のポンプ式吐出容器と同一構成とすることができる。
【００１５】
ポンプヘッド３２は、図２に示すように、ポンプハウジング３１ｈの外部に突出するステム３１ｓの端部に固定されている。ポンプヘッド３２は、ステム３１ｓに接続されるヘッド本体３２ｈと、ステム３１ｓの吐出通路に連通する吐出ノズル３２ｎとを有している。ポンプヘッド３２は、ドーム形状に形成されている。吐出ノズル３２ｎは、ステム３１ｓの吐出通路と交差する方向に延出している。
【００１６】
ポンプディスペンサー３Ａでは、図２に示すように、ポンプヘッド３２を押し下げることにより、ステム３１ｓが下降してピストン３１ｐを下降させ、該ピストン３１ｐによって圧縮されたポンプ室３１ｒ内の内容物がステム３１ｓの吐出通路を経てポンプヘッド３２の吐出ノズル３２ｎから吐出される。他方、吐出後に、バネ３１ｂの付勢力によりステム３１ｓが往動すると、容器本体２に収容された内容物が、ディップチューブ３１ｉを介して、ポンプハウジング３１ｈ内の減圧されたポンプ室３１ｒに吸い込まれる。なお、ポンプハウジング３１ｈは、ディップチューブ３１ｉとの境界部付近にボール弁を内蔵している。
【００１７】
またポンプディスペンサー３Ａでは、ポンプヘッド３２は、フルストローク押し下げると、予め設定された所定量の液体が吐出されるようになっている。予め設定される液体の吐出量は特に制限はないが、容器本体２内に収容される液体の種類に応じて設定することが好ましい。例えば、シャンプー液、リンス液、化粧液、液体洗剤、薬剤、及び調味料等の液体の種類に応じて設定することが好ましい。具体的には、ｍｌ（ミリリットル）、ｃｃ（シーシー）等に設定することが好ましい。また例えば、大さじ一杯等の特定の液体に特化した吐出量に設定してもよい。
【００１８】
本体部３４は略円筒形に形成されており、同軸上にてポンプ機構３１を支持している。また本体部３４は、上端部のステム挿入口回りに、外周部に螺条を備えたノズル固定リング（図示せず）を有し、ポンプヘッド３２をノズル固定リングに螺着することにより、ポンプハウジング３１ｈに対するステム３１ｓ、ピストン３１ｐ及びポンプヘッド３２の移動をロック可能とされている。
【００１９】
キャップ部３５は、ポンプ機構３１と同軸上で本体部３４の下方にて、該本体部３４に回転可能に支持されている。キャップ部３５は、その内周面に螺合溝（図示せず）が形成されており、容器本体２の口部２１に形成された螺合部に螺合可能になっている。
【００２０】
第１実施形態の吐出容器１Ａの表示部３３Ａ以外の構成は、公知のポンプディスペンサーの構成と同様であり、例えば、特許文献１に記載のポンプ式吐出容器と同一構成とすることができる。
【００２１】
本実施形態の吐出容器１Ａにおける表示部３３Ａは、本体部３４に設けられ、液体の吐出量の目盛３３２を有する目盛部３３１Ａと、ポンプヘッド３２に設けられ、液体の吐出量に対応する目盛部３３１Ａの目盛３３２を示す目印３３１Ｉとを有しており、ポンプヘッド３２の押し下げ量に連動して目盛部３３１Ａの目盛３３２に対する目印３３１Ｉの相対的な位置が変化して、ポンプヘッド３２から吐出される液体の吐出量を知らせるようになっている。
詳細には、本実施形態では、図１〜図５に示すように、目盛部３３１Ａが本体部３４から突出可能に設けられている。ポンプヘッド３２は、目盛部３３１Ａを挿通可能な挿通孔３３３を有し、該ポンプヘッド３２の天面部３２ｔの一部、より具体的には、天面部３２ｔに形成された挿通孔３３３の外周縁３３３ｌが目印として機能するようになっている。
【００２２】
より詳述すると、挿通孔３３３は、図１に示すように、ポンプヘッド３２の天面部３２ｔに設けられており、該天面部３２ｔを貫通している。具体的には、挿通孔３３３は、ポンプヘッド３２を平面視して、該ヘッド本体３２ｈの吐出ノズル３２ｎが配される側と反対側（ステム３１ｓ（図示せず）との接続部を中心として吐出ノズル３２ｎが配される側と反対側）に形成されている。挿通孔３３３は、平面視して略楕円形状に形成されており、目盛部３３１Ａを挿通可能に形成されている。挿通孔３３３の大きさ及び形状は特に限定されず、目盛部３３１Ａを挿通可能な大きさ及び形状であればよい。
【００２３】
目盛部３３１Ａは、縦長の板状に形成されており、挿通孔３３３を挿通可能となる位置において、基端が本体部３４の上部に固定されている。具体的には、目盛部３３１Ａは、本体部３４の上部において、ポンプヘッド３２を押し下げた際に該ポンプヘッド３２に形成された挿通孔３３３から出現可能となる位置に固定されている。尚、目盛部３３１Ａは、本体部３４の上部に固定されておらず、本体部３４と別体に設けてもよい。ポンプヘッド３２を平面視して、挿通孔３３３が吐出ノズル３２ｎが配される側と反対側に配されることから、目盛部３３１Ａも吐出ノズル３２ｎが配される側と反対側に配されており、該目盛部３３１Ａは、図５（ａ）に示すように、吐出ノズル３２ｎと反対側から出現するようになっている。
【００２４】
目盛部３３１Ａは、図３（ａ）に示すように、ポンプヘッド３２を押し下げる前の状態においては、先端がポンプヘッド３２の天面部３２ｔから突出しないように設けられている。本実施形態では、目盛部３３１Ａは、ポンプヘッド３２を押し下げる前の状態において、先端がポンプヘッド３２の天面部３２ｔから突出しない長さに形成されている。目盛部３３１Ａの長手方向の長さとしては、ポンプヘッド３２を押し下げる前の状態において目盛３３２が隠れる長さであればよく、例えば、先端がポンプヘッド３２の上面から僅かに突出する長さであってもよい。即ち、先端がポンプヘッド３２の上面から突出しないとは、先端がポンプヘッド３２の上面から僅かに突出する状態を含む。
【００２５】
目盛３３２は、目盛部３３１Ａの外面側の表面に配されており、目印との組み合わせにおいて、ポンプヘッド３２の押し下げ量に応じた液体の吐出量を表示可能なものとなっている。目盛３３２は、例えば、図５（ｂ）に示すように、「１．５ｍｌ」、「３．０ｍｌ」等の目盛となっており、目盛部３３１Ａの長手方向に沿って間隔を空けて配されている。目盛部３３１Ａは、ポンプヘッド３２の移動方向、特に押し下げ時の移動方向に沿って複数の目盛３３２を有することが好ましく、また、ポンプヘッド３２の移動方向に沿う方向に長い形状であることが好ましい。
本実施形態では、目盛３３２は、下線が引かれた数字となっており、該下線とポンプヘッド３２の天面部３２ｔ、具体的には、天面部３２ｔに形成された挿通孔３３３の外周縁３３３ｌとを一致させると、下線が引かれた数字の液体が吐出されるようになっている。なお、目盛３３２は、特に制限なく使用することができ、数字、線（例えば、下線や横線等）、マークのみであってもよく、これらの組み合わせであってもよい。
【００２６】
目盛部３３１Ａに配される目盛３３２は特に制限はないが、容器本体２内に収容される液体の種類に応じて配することが好ましい。例えば、シャンプー液、リンス液、化粧液、薬剤、液体洗剤及び調味料等の液体の種類に応じて配することが好ましい。また、例えば、ポンプヘッド３２をフルストローク押し下げた際の吐出量に対する割合を表示してもよい。例えば、フルストロークを１として、「３／４」、「１／２」及び「１／４」としてもよく、「０．７５」、「０．５」及び「０．２５」としてもよい。また例えば、大さじ一杯（例えば「大１」）、小さじ一杯（例えば「小１」）等の特定の液体に特化した表示としてもよい。また、吐出量の割合に対応するマーク等を表示してもよい。
【００２７】
以上のような構成の吐出容器１Ａでは、ポンプディスペンサー３Ａの表示部３３Ａは、図３（ａ）及び図３（ｂ）に示すように、ポンプヘッド３２を押し下げる前の状態においては、目盛部３３１Ａがポンプヘッド３２の天面部３２ｔから突出しておらず、ポンプヘッド３２を押し下げると、図４及び図５に示すように、挿通孔３３３から目盛部３３１Ａが出現し、ポンプヘッド３２の押し下げ量に対応した吐出量の目盛３３２を表示するようになっている。例えば、図４（ａ）及び図４（ｂ）に示すように、目盛部３３１Ａが「１．５ｍｌ」の目盛３３２を表示するまでポンプヘッド３２を押し下げると、吐出ノズル３２ｎから１．５ｍｌの液体が吐出される。また図５（ａ）及び図５（ｂ）に示すように、目盛部３３１Ａが「３．０ｍｌ」の目盛３３２を表示するまでポンプヘッド３２を押し下げると、吐出ノズル３２ｎから３．０ｍｌの液体が吐出される。本実施形態では、各目盛３３２には下線が引かれた数値が表示されており、該数値の下線と挿通孔３３３の外周縁３３３ｌとが一致するまでポンプヘッド３２を押し下げると、数値に該当する液体が吐出ノズル３２ｎから吐出されるようになっている。
【００２８】
以上説明したように、吐出容器１Ａのポンプディスペンサー３Ａは、容器本体２内に収容された液体を吸い上げるポンプ機構３１と、ポンプ機構３１が吸い上げた液体を押し下げることで吐出させるポンプヘッド３２と、ポンプヘッド３２の押し下げ量（押し下げの程度）に応じた液体の吐出量を、該ポンプヘッド３２の押し下げに伴う変化により表示して使用者に知らせる表示部３３Ａとを備えている。そのため、吐出される液体の吐出量を確認して、所望の量を吐出させることができる。また、ポンプヘッド３２の押し下げによる吐出量の調整を行う際においても、ポンプヘッド３２の押し下げを規制する冶具等を取り付けたり、該冶具の調整をしたりする等の手間が無く、吐出量の調整が容易である。これらにより、所望の量の液体を、容易に且つ無駄なく吐出させることができる。
【００２９】
また吐出容器１Ａのポンプディスペンサー３Ａは、ポンプヘッド３２の押し下げ量に連動して、目盛部３３１Ａの目盛３３２に対するポンプヘッド３２の天面部３２ｔの相対的な位置、具体的には、天面部３２ｔに形成された挿通孔３３３の外周縁３３３ｌの相対的な位置が変化して液体の吐出量を知らせるようになされている。このように、ポンプヘッド３２の押し下げに連動して目盛部３３１Ａの目盛３３２を示すようにすることで、所望の吐出量の確認や調整が一層容易になる。
【００３０】
また吐出容器１Ａのポンプディスペンサー３Ａは、ポンプヘッド３２の押し下げ量に連動して目盛部３３１Ａを挿通孔３３３から出現させて、ポンプヘッド３２から吐出される液体の吐出量に対応する目盛３３２を使用者に知らせるようになされている。そのため、当初目盛部３３１Ａの目盛３３２がポンプヘッド３２内に隠れている状態から出現するという突飛な動きをするので、使用者が注目し易い構成になっている。その為、使用者がより吐出量を確認するようになるので、液体を不要に吐出することが抑制される。また、目盛部３３１Ａがこのような動きをするポンプディスペンサー３Ａは、吐出容器１Ａにおいて、その意匠性に優れている。
【００３１】
次に、本発明のポンプディスペンサー及び吐出容器の第２実施形態について、図６〜図８に基づいて説明する。図６には、本発明の好ましい第２実施形態に係る吐出容器のポンプディスペンサー３Ｂが示されており、図７には、ポンプディスペンサー３Ｂの分解斜視図が示されている。図８（ａ）〜（ｄ）には、ポンプヘッド３２の押し下げに連動する表示部３３Ｂが示されている。
【００３２】
第２実施形態のポンプディスペンサー３Ｂを有する吐出容器については、第１実施形態のポンプディスペンサー３Ａを有する吐出容器１Ａと異なる点について説明する。特に説明しない点は、吐出容器１Ａと同様であり、吐出容器１Ａの説明が適宜適用される。
【００３３】
第１実施形態の吐出容器１Ａでは、目盛部が本体部３４に設けられ、目印がポンプヘッド３２に設けられているところ、第２実施形態のポンプディスペンサー１Ｂでは、図６及び図７に示すように、目印が本体部３４に設けられ、目盛部がポンプヘッド３２に設けられている。
【００３４】
より具体的には、第２実施形態の吐出容器では、図６及び図７に示すように、目印は、本体部３４に設けられた固定部３３１Ｂに形成されている。固定部３３１Ｂは、縦長の板状に形成されており、本体部３４の上部に固定されている。また固定部３３１Ｂは、先端部に凸部３３６を有している。凸部３３６は、固定部３３１Ｂの外面側の表面に設けられており、該固定部３３１Ｂの先端部に位置している。凸部３３６は、ポンプヘッドの押し下げ方向Ｘと直交する方向に突出する形状に形成されており、その先端には、ポンプヘッド３２の側面の色とは異なる色が配されることが好ましい。
【００３５】
第２実施形態の吐出容器では、目盛部は、挿通孔３３７と、目盛３３８とからなる。挿通孔３３７は、図６及び図７に示すように、ポンプヘッド３２の側部に設けられている。挿通孔３３７は、ポンプヘッド３２の側部にて、該ポンプヘッド３２の押し下げ方向Ｘと略平行に形成されており、凸部３３６が押し下げ方向Ｘと略平行に移動可能となるように形成されている。挿通孔３３７は、ポンプヘッド３２を平面視して、ヘッド本体３２ｈの吐出ノズル３２ｎが配される側と反対側（ステム３１ｓとの接続部を中心として吐出ノズル３２ｎが配される側と反対側）の側部に形成されている。
【００３６】
挿通孔３３７の側部には、図６及び図７に示すように、目盛３３８が配されている。目盛３３８は、押し下げ方向Ｘに間隔を空けて複数配されており、該目盛３３８は、ポンプヘッド３２の押し下げ量に応じた液体の吐出量となっている。例えば、図８（ａ）に示す最下端の目盛は、ポンプヘッド３２が押し下げる前の状態、即ち、液体が吐出されていない状態を示している。図８（ｂ）に示す目盛３３８は、ポンプヘッド３２のフルストロークを「１」とした場合の「１／３」に相当する量が吐出される状態を示しており、図８（ｃ）は、「２／３」に相当する量が吐出された状態を示しており、図８（ｄ）はフルストロークに相当する量の液体が吐出された状態を示している。
【００３７】
ポンプヘッドに配される目盛３３８は特に制限はないが、容器本体２内に収容される液体の種類に応じて配することが好ましい。例えば、シャンプー液、リンス液、化粧液、薬剤、液体洗剤及び調味料等の液体の種類に応じて配することが好ましい。また、例えば、フルストローク押し下げた際の吐出量に対する割合を表示してもよい。例えば、フルストロークを１として、「３／４」、「１／２」及び「１／４」としてもよく、「０．７５」、「０．５」及び「０．２５」としてもよい。また例えば、大さじ一杯（例えば「大１」）、小さじ一杯（例えば「小１」）等の特定の液体に特化した表示としてもよい。また、吐出量の割合に対応するマーク等を表示してもよい。
【００３８】
以上説明したように、第２実施形態の吐出容器のポンプディスペンサー３Ｂは、ポンプヘッド３２の押し下げ量に連動して凸部３３６が挿通孔３３７に沿って相対的に移動して、ポンプヘッド３２から吐出される液体の吐出量を知らせるようになっている。そのため、ポンプヘッド３２に配された目盛３３８を見ながらポンプヘッド３２を押し下げることができるので、所望の量の液体を吐出させることが容易となる。即ち、所望の量の液体を無駄なく容易に吐出させることができる。
【００３９】
以上、本発明のポンプディスペンサー及び吐出容器をその好ましい第１及び第２実施形態に基づき説明したが、本発明のポンプディスペンサー及び吐出容器は第１及び第２実施形態に限定されない。例えば、第１実施形態においては、目盛部を板状に形成したが、目盛部は板状に限定されず、例えば、棒状等であってもよい。また、棒状の目盛部の断面形状は、円形、三角形、四角形等の多角形等の任意の形状とすることができ、また、板状の目盛部の断面形状も、円弧やＳ字状等の任意の形状とすることができる。
【００４０】
また例えば、第１実施形態においては、目盛部３３１Ａを挿通孔３３３内から出現させるようにしたが、ポンプヘッド３２の外周部に該外周部の一部が開口した切り欠きを設け、棒状又は板状の目盛部が該切り欠き内において上下に変位するようにしても良く、その目盛部の目盛とポンプヘッド３２の天面部３２ｔや天面部に設けた他の部材との相対位置の変化に応じて液体の吐出量が分かるようにしてもよい。
また、ポンプヘッド３２の外周部の外側に棒状又は板状の目盛部を配し、その目盛部の目盛とポンプヘッド３２の天面部との相対位置の変化に応じて液体の吐出量が分かるようにしてもよい。ポンプヘッド３２の天面部に凸部を設け、該凸部の上面等の任意の部位を目印として用いても良く、ポンプヘッド３２の天面部以外の部位に凸部を設け、該凸部の任意の部位を目印として用いても良い。また、ポンプヘッド３２の天面部や他の部位に、目印として機能する矢印等の表示を設けても良い。
また、前記の各実施形態は、本発明の趣旨を逸脱しない範囲で適宜に組み合わせることが可能である。
【符号の説明】
【００４１】
１Ａ  吐出容器
２  容器本体
２１  口部
２２  胴部
３Ａ、３Ｂ  ポンプディスペンサー
３１  ポンプ機構
３２  ポンプヘッド
３２ｎ  吐出ノズル
３２ｈ  ヘッド本体
３２ｔ  天面部
３３Ａ、３３Ｂ  表示部
３３１Ａ  目盛部
３３１Ｂ  固定部
３３２  目盛
３３３  挿通孔
３４  本体部
３５  キャップ部
【図１】
2019051949.tif 000003
【図２】
2019051949.tif 000004
【図３】
2019051949.tif 000005
【図４】
2019051949.tif 000006
【図５】
2019051949.tif 000007
【図６】
2019051949.tif 000008
【図７】
2019051949.tif 000009
【図８】
2019051949.tif 000010